(57)【特許請求の範囲】
【請求項１】
伸縮性を有する樹脂製素材で形成してある水中用スーツであって、
スーツ本体よりも伸縮性の高い高伸縮部を、首挿通口の周方向における少なくとも一部において前記首挿通口の周縁部に設けるとともに、
前記高伸縮部を設けた箇所のスーツ内側に積層させたスーツ本体の一部を構成する樹脂製素材の積層部に、首挿通口から外方に延びる切込みを形成してある水中用スーツ。
【請求項２】
前記積層部と高伸縮部とで形成された積層周縁部が、複数の樹脂製素材から構成されている請求項１記載の水中用スーツ。
【請求項３】
前記高伸縮部として、スーツ本体を形成する樹脂製素材よりも厚みの小さい樹脂製素材で形成した薄肉部を設けてある請求項１又は２記載の水中用スーツ。
【請求項４】
前記高伸縮部として、スーツ本体を形成する樹脂製素材よりも伸縮性の高い樹脂製素材で形成した高伸縮素材部を設けてある請求項１〜３のいずれか１項に記載の水中用スーツ。
【請求項５】
前記積層周縁部において高伸縮部を、首挿通口に沿う高伸縮部の縁部分が前記積層部の切込み形成部分よりも首挿通口の半径方向内方に位置する状態で設けてある請求項１〜４のいずれか１項に記載の水中用スーツ。
【請求項６】
前記切込み形成部分に、切込み形成部分の変形を抑制するための保形手段が設けられてある請求項１〜５のいずれか１項に記載の水中用スーツ。
【請求項７】
前記高伸縮部を首挿通口周縁部に対して接合するのに、高伸縮部の接合箇所における接合面を、接合箇所断面視において斜めに切断してある請求項１〜６のいずれか１項に記載の水中用スーツ。
【発明の詳細な説明】
【０００１】
【発明の属する技術分野】
本発明は、サーフィン、ボードセイリング、スキューバダイビング、ウェークボード、水上スキー、水上バイク等のウォータースポーツや作業潜水等の水中作業で着用するウェットスーツ、セミドライスーツ、ドライスーツ等の水中用スーツに関する。
【０００２】
【従来の技術】
水中用スーツのうち、ウェットスーツ及びセミドライスーツは外部から浸入した少量の水をスーツ内にて体温で温め、その温められた水をスーツ内に維持することで外部から身体に伝わる水の冷たさを緩和する構造、ドライスーツはスーツ内に空気を入れ、その空気により外部から伝わる水の冷たさを遮断して体温を保温する構造になっているため、これら水中用スーツでは、保温機能のために首周り等の身体露出部分における高い防水性が必要である。
また、水中用スーツは、着用者の身体に密着するように弾性の高い樹脂製素材から形成されているが、スーツを着脱するのに身体挿通開口を兼ねる首挿通口から身体の出し入れをするので、スーツの着脱における容易性も確保するために首挿通口を大きく開口できる構成にする必要がある。
そして、従来の水中用スーツは、スーツ背面の腰部分から首挿通口に達する身体挿入開口をファスナーで閉じるウェットスーツであって、ウェットスーツの首挿通口周縁部と首との間に生じ易い隙間を埋めるために、首挿通口周縁部の内側に空気袋体が設けられている（例えば、特許文献１参照。）。
また、他の従来例としては、身体挿入開口を兼ねる首挿通口の周縁部に襠部を設けて拡大可能に構成し、襠部を身体に密着するようにスーツ内部に折り畳んだ状態で首周りを面ファスナーで密着固定するもの（例えば、特許文献２参照。）や、同じく身体挿入開口を兼ねる首挿通口を拡大するための襠部をスーツ背面側に設け、スーツ本体の首挿通口周縁部に対し首を挿通させて被嵌する防水カバー部を襠部を介してスーツ本体に連設したもの（特許文献３参照。）がある。
【０００３】
【特許文献１】
特開２０００−６８８５公報
【特許文献２】
実開平７−６０９７号公報
【特許文献３】
特開平１０−２３７７１２号公報
【０００４】
【発明が解決しようとする課題】
しかし、水中用スーツでは、身体露出部分（特に首周り）における防水性、スーツ着脱の容易性のほかに、心地良いスーツの装着感やサーフィン等の激しい動作を行うウォータースポーツにおいては首周りにおける運動性も重要である。
そして、特許文献１における従来の水中用スーツでは、ファスナーにより開閉可能なスーツ背面に形成された腰部分から首挿通口まで達する身体挿入開口を大きく開口することでスーツ着脱の容易性は確保され、首周りの防水効果を向上させるために首挿通口周縁部の内側に空気袋体を取付けているものの、特にサーフィン等の首が前後左右に激しく動作するウォータースポーツでは、空気袋体と首との間に隙間が生じてしまう恐れがあることから、未だ防水性の面で問題がありスーツの保温機能を維持することが困難であった。
また、着用時に首を回動させると内封されている空気が空気袋体の一側に偏って空気袋体が変形するので、首周りにおける心地良い装着感、及び、首周りにおける運動性も低下する恐れがあった。
次に、特許文献２における従来の水中用スーツでは、スーツ着脱の容易性を得るために身体挿入開口である首挿通口を大きく開口するために襠部を設け、その襠部をスーツ本体よりも薄手の防水布で形成し、首に密接するように折り畳んで固定する構成になっているが、襠部を首に密接するように折り畳むので、サーフィン等の激しいウォータースポーツにおいて首を前後左右に激しく動かすことで、折り畳んだ襠部にシワが形成され易く、そのシワによって生じる首との隙間から水がスーツ内部に浸入する恐れがあることから、首周りにおける防水性の面において未だ問題があり、また、スーツの装着感においてもシワにより着用者が首周りに違和感を覚え、更に、シワに形成されることで生じるごわつきにより首周りにおける運動性も低下する恐れもある。
そして、特許文献３における従来の水中用スーツでは、身体挿入開口を兼ねる首挿通口を大きく開口してスーツ着脱の容易性を得るために襠部を設け、また、首周りにおける防水性を向上させるために、襠部を折り畳んだ状態でスーツ本体の首挿通口周縁部に対し防水カバー部を被嵌させる構成にしてあるが、折り畳んだ襠部内に水が浸入し易く、サーフィン等の激しいウォータースポーツにおいて身体を激しく動かすことで、襠部に浸入した水がスーツ内に浸入してしまう恐れがあり、やはり、防水性の面で未だ問題がある。
【０００５】
この実情に鑑み、本発明の主たる課題は、水中用スーツ着用における身体挿入の容易性を確保しながらも、首の動作時においても高い防水性を確保し、また、装着時の着用者の首周りにおける高い運動性及び心地良い装着感を併せて得る点にある。
【０００６】
【課題を解決するための手段】
〔１〕本発明に係る水中用スーツの第１の特徴構成は、
伸縮性を有する樹脂製素材で形成してある水中用スーツにおいて、
スーツ本体よりも伸縮性の高い高伸縮部を、首挿通口の周方向における少なくとも一部において前記首挿通口の周縁部に設けるとともに、
前記高伸縮部を設けた箇所のスーツ内側に積層させたスーツ本体の一部を構成する樹脂製素材の積層部に、首挿通口から外方に延びる切込みを形成してある点にある。
【０００７】
つまり、この構成によれば、首挿通口の周縁部にスーツ本体よりも伸縮性の高い高伸縮部を設けるとともに、その高伸縮部を設けた箇所の内側の樹脂製素材である積層部に形成された切込みにより、身体挿通開口である首挿通口を容易に、かつ、大きく開口することができるので、首挿通口からスーツ内に身体を容易に挿入することができる。
また、高伸縮部によりスーツの首挿通口周縁部全体としての伸縮性が高くなるので、首挿通口周縁部の首に対する密着性が向上し、よって、首と首挿通口周縁部との間に隙間が生じることがなく、首周りにおける防水性をより一層向上させることができるとともに、従来の水中用スーツのように空気袋体や襠部などを設けていないので、首周りにおいて違和感を覚えることなく心地良い装着感を維持することができる。
更に、着用者がスーツ着用した際に感じる首に対する圧迫を和らげることもでき、また、サーフィンやウェークボード等の激しい動作を要するウォータースポーツであっても首周りにおいて良好な運動性を維持することができる。
また、首挿通口を拡大して肩を露出させた時、切込みが腕に引っ掛かり、一方の肩を露出させた状態を維持する滑り止めとなって首挿通口周縁部の弾性復元力を抑止するので、スーツを脱衣するのに、両方の肩を順に露出させることが容易となり、スーツの脱衣を迅速に行うことができる。
そして、着用時には、高伸縮部が切込みを外方から被覆する形態になり、切込みからスーツ内へ多量の水が浸入することを防止している。
従って、積層部に切込みを形成し、その切込みを少なくとも高伸縮部が被覆する構成にすることで、スーツの着脱を一層容易しながらも首周りにおける防水性を維持することができる。
【０００８】
〔２〕第２の特徴構成は、第１の特徴構成の実施において、
前記積層部と高伸縮部とで形成された積層周縁部が、複数の樹脂製素材から構成されている点にある。
【０００９】
つまり、この構成によれば、積層部と高伸縮部とからなる積層周縁部において、切込みを形成した積層部を構成する樹脂製素材と高伸縮部を構成する樹脂製素材とを異なる樹脂製素材から構成しているので、高伸縮部を高伸縮性を考慮した樹脂製素材にすることで、首挿通口を大きく開口することができながら、積層部を保温性やコストパフォーマンス等を考慮した樹脂製素材で構成することができ、よって、スーツ性能の向上や製造コストの低廉化を図ることができる。
【００１０】
〔３〕第３の特徴構成は、第１又は第２の特徴構成の実施において、
前記高伸縮部として、スーツ本体を形成する樹脂製素材よりも厚みの小さい樹脂製素材で形成した薄肉部を設けてある点にある。
【００１１】
つまり、この構成によれば、スーツ本体を形成する樹脂製素材（すなわち、首挿通口周縁部を形成する他の樹脂製素材）よりも伸縮性及び柔軟性が高い薄肉部を高伸縮部とすることで、容易に首挿通口を身体挿入可能な大きさに大きく開口することができ、かつ、首周りからスーツ内への水の浸入を抑制できるだけでなく、首周りにおける運動性を向上させることができ、また、首周りにおけるスーツの装着感もソフトでより心地良いものにすることができる。
【００１２】
〔４〕第４の特徴構成は、第１〜第３の特徴構成の実施において、
前記高伸縮部として、スーツ本体を形成する樹脂製素材よりも伸縮性の高い樹脂製素材で形成した高伸縮素材部を設けてある点にある。
【００１３】
つまり、この構成によれば、スーツ本体を形成する樹脂製素材（すなわち、首挿通口周縁部を形成する他の樹脂製素材）よりも伸縮性の高い高伸縮素材部を高伸縮部とすることで、容易に首挿通口を身体挿入可能な大きさに大きく開口することができるだけでなく、水中用スーツの種類（完全防水を要するドライスーツか、完全防水を要しないセミドライスーツ又はウェットスーツか）により高伸縮素材部として用いる高伸縮性の素材を選択することができるので、首周りにおける防水性、運動性やスーツの装着感等をスーツ毎に調整することができる。
【００１４】
〔５〕第５の特徴構成は、第１〜第４の特徴構成の実施において、
前記積層周縁部において高伸縮部を、首挿通口に沿う高伸縮部の縁部分が前記積層部の切込み形成部分よりも首挿通口の半径方向内方に位置する状態で設けてある点にある。
【００１５】
つまり、この構成によれば、着用時において、切込みが形成されている積層部のスーツ外側に位置する高伸縮部の縁部が、積層部よりも上方で着用者の首に対して接当する形態になるので、切込みからスーツ内への水の浸入を一層効果的に防止することができる。
【００１６】
〔６〕第６の特徴構成は、第１〜第５の特徴構成の実施において、
前記切込み形成部分に、切込み形成部分の変形を抑制するための保形手段が設けられてある点にある。
【００１７】
つまり、この構成によれば、切込みを形成することで変形し易くなった首挿通口周縁部の切り込み形成部分に変形を防止する保形手段を設けることで、切り込み形成部分の型崩れを防止し、着用者に対して良好な装着感を維持することができる。
【００１８】
〔７〕第７の特徴構成は、第１〜第６の特徴構成のいずれか１つの特徴構成の実施において、
前記高伸縮部を首挿通口周縁部に対して接合するのに、高伸縮部の接合箇所における接合面を、接合箇所断面視において斜めに切断してある点にある。
【００１９】
つまり、この構成によれば、高伸縮部の首挿通口周縁部に対する接合箇所の接合面を斜めに切断してあるので、高伸縮部接合箇所の表面を凹凸の少ない滑らかなものにすることができ、外観のよいものにすることができる。
【００２０】
【発明の実施の形態】
〔第１実施形態〕
図１〜図１１及び図１３は、本願発明における第１実施形態の水中用スーツであるウェットスーツを示し、１は樹脂製素材からなる複数の樹脂製素材片２を、図１３に示すように面方向にスカーフ接合しその接合箇所を防水接着剤Ｂで接着したのち縫合されて形成されるスーツ本体であり、スーツ本体１は着用者Ｕの腕を挿通する腕挿通口を備えた腕部３と、着用者Ｕの足を挿通する足挿通口を備えた足部４と、着用者Ｕの首を挿通する首挿通口５を形成している本体部６と、本体部６の首挿通口周縁部７を覆う防水カバー部８と、防水カバー部８を固定するカバー固定部９とから形成されている。
【００２１】
スーツ本体１は、弾性の合成樹脂素材であるクロロプレンスポンジを主素材Ｃとした構成の異なる複数の樹脂製素材片２から形成されており、各樹脂製素材片２は、クロロプレンスポンジの外面側と内面側とに、スーツ本体１の各部分の機能に対応させるために様々な特徴を有する種々の生地１０を積層貼着して構成され、本実施形態では、伸縮性がよく形成コストの面において優れているスタンダードジャージ、保温性が高く表面が滑らかなスーパーコンポジットスキン（ＳＣＳ）、軽量で保温性及び速乾性が非常に高い中空糸パイル地、スタンダードジャージよりも伸縮性が高いフリーストレッチジャージ、スタンダードジャージやフリーストレッチジャージ等のジャージよりも伸縮性が高く表面が滑らかな撥水性のラバースキン地、及び、面ファスナーＦを使用する際に用いるループパイル地の６種の生地１０を組み合わせて構成されている。
【００２２】
そして、スーツ本体１は、クロロプレンスポンジの内外面両側にスタンダードジャージを積層貼着した３ｍｍ厚の第１素材片、クロロプレンスポンジの外面側にスタンダードジャージ、内面側にＳＣＳを積層貼着した３ｍｍ厚の第２素材片、クロロプレンスポンジの外面側にスタンダードジャージ、内面側に中空糸パイル地を積層貼着した３ｍｍ厚の第３素材片、クロロプレンスポンジの外面側にスタンダードジャージ、内面側にフリーストレッチジャージを積層貼着した３ｍｍ厚の第４素材片、クロロプレンスポンジの外面側にラバースキン地、内面側にスタンダードジャージを積層貼着した３ｍｍ厚の第５素材片、クロロプレンスポンジの外面側にラバースキン地、内面側にフリーストレッチジャージを積層貼着した３ｍｍ厚の第６素材片、クロロプレンスポンジの外面側にループパイル地、内面側にスタンダードジャージを積層貼着した３ｍｍ厚の第７素材片、クロロプレンスポンジの外面側にラバースキン地、内面側にループパイル地を積層貼着した３ｍｍ厚の第８素材片、クロロプレンスポンジの外面側にスタンダードジャージ、内面側にループパイル地を積層貼着した３ｍｍ厚の第９素材片、及び、クロロプレンスポンジの内外面両側にスタンダードジャージを積層貼着した２ｍｍ厚の第１０素材片の１０種類の樹脂製素材片２から形成されている。
【００２３】
腕部３は、着用者Ｕの身体に対するフィット感と運動性を得るために過剰な締め付けのない第４素材片から形成されている。
【００２４】
足部４は、運動性、スーツ着脱の容易性、及び、特にサーフィンではサーフボードに跨った状態で水中に足を入れて波待ちをすることが多いことから保温性を得るために、伸縮性及び保温性が高く内面が滑らかな第２素材片から形成されていて、第２素材片の内面を形成する生地１０あるＳＣＳは保温性が高く水に濡れることで潤滑性が向上するので、足の冷え込みを抑制するとともに、スーツを脱ぐ時、足部４から足を容易に抜くことができる。
【００２５】
本体部６は、主として、保温性及び速乾性が非常に高い中空糸パイル地を積層貼着した第３素材片と、スーツ本体１を着脱する際の身体挿入開口である本体部６の首挿通口５の周縁部７を形成する伸縮性のよい第１素材片とから形成されているとともに、首挿通口周縁部７は着用者Ｕの首周りに対して密着する形状に形成されているので、水の冷たさによる着用者Ｕの身体への負担を低減し、かつ、首周りにおける運動性を維持しながら、スーツ装着感も良好なものにしている。
【００２６】
図１１に示すように、首挿通口周縁部７の両肩側部分７Ａには、首挿通口５を着用者Ｕの身体が挿入できる大きさに拡大するための切込み１２が首挿通口５から外方に延びる形態で形成されているとともに、首挿通口周縁部７の両肩側部分７Ａとは相互分離状態で外方に積層して重合接合してある高伸縮部Ｅとして、スーツ本体１を形成する３ｍｍ厚の樹脂製素材片２の厚みよりも薄い２ｍｍ厚の第１０素材片で形成された薄肉部１１が設けられており、首挿通口周縁部７の両肩側部分７Ａの一部を、高伸縮部Ｅのスーツ内側に位置する積層部ｋとして、高伸縮部Ｅである薄肉部１１と共に積層周縁部Ｌを形成している。
【００２７】
そして、薄肉部１１は、スーツ本体１を形成する３ｍｍ厚の樹脂製素材片２よりも薄いことから、３ｍｍ厚の樹脂製素材片２に比べ伸縮性及び柔軟性が高いので、図７及び図８に示すように、切込み１２と薄肉部１１とにより身体挿入開口である首挿通口５を大きく開口できて容易に身体を挿入することができ、また、切込み１２に対して外方から被覆してあるので、切込み１２からスーツ本体１内への水の浸入を防止する。
【００２８】
更に、切込み１２は、スーツ本体１を脱衣する際に首挿通口５を拡張して肩を露出させた時に腕に引っ掛かって滑り止めとなり、首挿通口周縁部７の弾性復元力を抑止するので、図９に示すように一方の肩を露出させた状態に維持でき、これによって、図１０に示すように両方の肩を順に露出することが容易になって、スーツ本体１を容易かつ迅速に脱衣することができる。
【００２９】
そして、薄肉部１１は、切込み１２が形成された切込み形成部分である両肩側部分７Ａよりも薄肉部１１の縁部１１ａが首挿通口５の半径方向内方に位置した状態で設けられていて、なおかつ、縁部１１ａの中央部が首挿通口５に向かって突出した形状に形成されているので、図１１に示すように、縁部１１ａが切込み１２が形成された首挿通口周縁部７の両肩側部分７Ａよりも上方で着用者Ｕの首に対して接当する形態になり、切込み１２からスーツ本体１内への水の浸入を一層効果的に防止することができ、また、薄肉部１１の縁部１１ａの突出形状部分が、首の回動などによって特に隙間が生じ易い首挿通口周縁部７の両肩側部分７Ａと首との間を埋める形態になるので、首挿通口周縁部７からスーツ本体１内へ多量の水が浸入することを効果的に抑制することができる。
【００３０】
切込み１２が形成された両肩側部分７Ａには、それの型崩れを防止するための保形シールドＳが外面側に貼着されていて、保形シールドＳによって両肩側部分７Ａの変形によるスーツ装着時の違和感を排除することができる。
【００３１】
防水カバー部８には、着用者Ｕの頭部を挿通する開口が形成されていて、本体部６が形成する首挿通口周縁部７に対して、着用者Ｕの頭部を開口に通して外方から被嵌できるように本体部６の胸部分から連設されていて、本体部６から延設された第３素材片と、第５素材片と、第６素材片と、第７素材片とから形成されている。
【００３２】
防水カバー部８の開口周縁部分８Ａは、伸縮性が非常に高い撥水性を有するラバースキン地を外面に積層貼着した第６素材片から形成されているので、開口周縁部分８Ａが着用者Ｕの首周りに密着することと、ラバースキン地の高い伸縮性と撥水性とにより、スーツの装着感及び首周りの運動性を低下させることなく、首周りからの水の浸入を効果的に抑制することができる。
【００３３】
従って、この構成だと、スーツ装着時は、切込み１２が形成されている首挿通口周縁部７の両肩側部分７Ａと、その切込み１２を被覆する薄肉部１１と、防水カバー部８とからなる３重構造となり、スーツの装着感及び首周りの運動性を低下させることなく、スーツ着脱の容易性を向上させながらも首周りにおける防水性の高いウェットスーツにすることができる。
【００３４】
また、防水カバー部８は、首挿通口周縁部７の背面側部分７Ｃに設けられている第８素材片と第９素材片とから形成されたカバー固定部９と面ファスナーＦで相互固定される構成で、防水カバー部８に設けられた第１フック部１３ａとカバー固定部９のループパイル地部分９ａとが係合し、カバー固定部９に設けられた第２フック部１３ｂと防水カバー部８を形成する第７素材片のループパイル地部分８ａとが係合して防水カバー部８をカバー固定部９で固定する形態になっている。
【００３５】
そして、図１１に示すように、薄肉部１１の首挿通口周縁部７に対する接合面１１ｂを斜めに切断して接合してあるので、薄肉部接合箇所の表面が凹凸のほとんどないものになり、これによって、スーツ本体１の首挿通口周縁部７と防水カバー部８との重合間に隙間がほとんどない状態で装着することができるので、首周りにおける防水性が一層向上する。
【００３６】
〔第２実施形態〕
図１〜図１０、図１２及び図１３は、本願発明における第２実施形態の水中用スーツであるウェットスーツを示し、１は樹脂製素材からなる複数の樹脂素材片２を、図１３に示すように面方向にスカーフ接合しその接合箇所を防水接着剤Ｂで接着したのち縫合されて形成されるスーツ本体であり、スーツ本体１は着用者Ｕの腕を挿通する腕挿通口を備えた腕部３と、着用者Ｕの足を挿通する足挿通口を備えた足部４と、着用者Ｕの首を挿通する首挿通口５を形成している本体部６と、本体部６の首挿通口周縁部７を覆う防水カバー部８と、防水カバー部８を固定するカバー固定部９とから形成されている。
【００３７】
スーツ本体１は、弾性の合成樹脂素材であるクロロプレンスポンジを主素材とした構成の異なる複数の樹脂製素材片２から形成されており、各樹脂製素材片２は、クロロプレンスポンジの外面側と内面側とに、スーツ本体１の各部分の機能に対応させるために様々な特徴を有する種々の生地１０を積層貼着して構成され、本実施形態では、伸縮性がよく形成コストの面において優れているスタンダードジャージ、保温性が高く表面が滑らかなスーパーコンポジットスキン（ＳＣＳ）、軽量で保温性及び速乾性が非常に高い中空糸パイル地、スタンダードジャージよりも伸縮性が高いフリーストレッチジャージ、スタンダードジャージやフリーストレッチジャージ等のジャージよりも伸縮性が高く表面が滑らかな撥水性のラバースキン地、及び、面ファスナーＦを使用する際に用いるループパイル地の６種の生地１０を組み合わせて構成されている。
【００３８】
そして、スーツ本体１は、クロロプレンスポンジの内外面両側にスタンダードジャージを積層貼着した３ｍｍ厚の第１素材片、クロロプレンスポンジの外面側にスタンダードジャージ、内面側にＳＣＳを積層貼着した３ｍｍ厚の第２素材片、クロロプレンスポンジの外面側にスタンダードジャージ、内面側に中空糸パイル地を積層貼着した３ｍｍ厚の第３素材片、クロロプレンスポンジの外面側にスタンダードジャージ、内面側にフリーストレッチジャージを積層貼着した３ｍｍ厚の第４素材片、クロロプレンスポンジの外面側にラバースキン地、内面側にスタンダードジャージを積層貼着した３ｍｍ厚の第５素材片、クロロプレンスポンジの外面側にラバースキン地、内面側にフリーストレッチジャージを積層貼着した３ｍｍ厚の第６素材片、クロロプレンスポンジの外面側にループパイル地、内面側にスタンダードジャージを積層貼着した３ｍｍ厚の第７素材片、クロロプレンスポンジの外面側にラバースキン地、内面側にループパイル地を積層貼着した３ｍｍ厚の第８素材片、クロロプレンスポンジの外面側にスタンダードジャージ、及び、内面側にループパイル地を積層貼着した３ｍｍ厚の第９素材片の９種類の樹脂製素材片２から形成されている。
【００３９】
腕部３は、着用者Ｕの身体に対するフィット感と運動性を得るために過剰な締め付けのない第４素材片から形成されている。
【００４０】
足部４は、運動性、スーツ着脱の容易性、及び、特にサーフィンではサーフボードに跨った状態で水中に足を入れて波待ちをすることが多いことから保温性を得るために、伸縮性及び保温性が高く内面が滑らかな第２素材片から形成されていて、第２素材片の内面を形成する生地１０あるＳＣＳは保温性が高く水に濡れることで潤滑性が向上するので、足の冷え込みを抑制するとともに、スーツを脱ぐ時、足部４から足を容易に抜くことができる。
【００４１】
本体部６は、主として、保温性及び速乾性が非常に高い中空糸パイル地を積層貼着した第３素材片と、スーツ本体１を着脱する際の身体挿入開口である本体部６の首挿通口５の周縁部７を形成する伸縮性のよい第１素材片とから形成されているとともに、首挿通口周縁部７は着用者Ｕの首周りに対して密着する形状に形成されているので、水の冷たさによる着用者Ｕの身体への負担を低減し、かつ、首周りにおける運動性を維持しながら、スーツ装着感も良好なものにしている。
【００４２】
図１２に示すように、首挿通口周縁部７の両肩側部分７Ａには、首挿通口５を着用者Ｕの身体が挿入できる大きさに拡大するための切込み１２が首挿通口５から外方に延びる形態で形成されているとともに、首挿通口周縁部７の両肩側部分７Ａとは相互分離状態で外方に積層して重合接合してある高伸縮部Ｅとして、首挿通口周縁部７を形成する第１素材片よりも伸縮性が高い第４素材片で形成された高伸縮素材部１４が設けられており、首挿通口周縁部７の両肩側部分７Ａの一部を、高伸縮部Ｅのスーツ内側に位置する積層部ｋとして、高伸縮部Ｅである高伸縮素材部１４と共に積層周縁部Ｌを形成している。
【００４３】
そして、高伸縮素材部１４は、スーツ本体１を第１素材片よりも伸縮性が高いので、図７及び図８に示すように、切込み１２と高伸縮素材部１４とにより身体挿入開口である首挿通口５を大きく開口できて容易に身体を挿入することができ、また、切込み１２に対して外方から被覆してあるので、切込み１２からスーツ本体１内への水の浸入を防止する。
【００４４】
更に、切込み１２がスーツ本体１を脱衣する際に首挿通口５を拡張して肩を露出させた時に腕に引っ掛かって滑り止めとなり、首挿通口周縁部７の弾性復元力を抑止するので、図９に示すように一方の肩を露出させた状態に維持でき、これによって、図１０に示すように、両方の肩を順に露出することが容易になって、スーツ本体１を容易かつ迅速に脱衣することができる。
【００４５】
そして、高伸縮素材部１４は、切込み１２が形成された切込み形成部分である両肩側部分７Ａのよりも高伸縮素材部１４の縁部１４ａが首挿通口５の半径方向内方に位置した状態で設けられていて、なおかつ、縁部１４ａの中央部が首挿通口５に向かって突出した形状に形成されているので、図１２に示すように、縁部１４ａが切込み１２が形成された首挿通口周縁部７の両肩側部分７Ａよりも上方で着用者Ｕの首に対して接当する形態になり、切込み１２からスーツ本体１内への水の浸入を一層効果的に防止することができ、また、高伸縮素材部１４の縁部１４ａの突出形状部分が、首の回動などによって特に隙間が生じ易い首挿通口周縁部７の両肩側部分７Ａと首との間を埋める形態になることと、第４素材片のラバースキン地の撥水性とにより、首挿通口周縁部７からスーツ本体１内へ多量の水が浸入することを効果的に抑制することができる。
【００４６】
切込み１２が形成された両肩側部分７Ａには、それの型崩れを防止するための保形シールドＳが外面側に貼着されていて、保形シールドＳによって両肩側部分７Ａの変形によるスーツ装着時の違和感を排除することができる。
【００４７】
防水カバー部８には、着用者Ｕの頭部を挿通する開口が形成されていて、本体部６が形成する首挿通口周縁部７に対して、着用者Ｕの頭部を開口に通して外方から被嵌できるように本体部６の胸部分から連設されていて、本体部６から延設された第３素材片と、第５素材片と、第６素材片と、第７素材片とから形成されている。
【００４８】
防水カバー部８の開口周縁部分８Ａは、伸縮性が非常に高い撥水性を有するラバースキン地を外面に積層貼着した第６素材片から形成されているので、開口周縁部分８Ａが着用者Ｕの首周りに密着することと、ラバースキン地の高い伸縮性と撥水性とにより、スーツの装着感及び首周りの運動性を低下させることなく、首周りからの水の浸入を効果的に抑制することができる。
【００４９】
従って、この構成だと、スーツ装着時は、切込み１２が形成されている首挿通口周縁部７の両肩側部分７Ａと、その切込み１２を被覆する高伸縮素材部１４と、防水カバー部８とからなる３重構造となり、スーツの装着感及び首周りの運動性を低下させることなく、スーツ着脱の容易性を向上させながらも首周りにおける防水性の優れたウェットスーツにすることができる。
【００５０】
また、防水カバー部８は、首挿通口周縁部７の背面側部分７Ｃに設けられている第８素材片と第９素材片とから形成されたカバー固定部９と面ファスナーＦで相互固定される構成で、防水カバー部８に設けられた第１フック部１３ａとカバー固定部９のループパイル地部分９ａとが係合し、カバー固定部９に設けられた第２フック部１３ｂと防水カバー部８を形成する第７素材片のループパイル地部分８ａとが係合して防水カバー部８をカバー固定部９で固定する形態になっている。
【００５１】
そして、図１２に示すように、高伸縮素材部１４の首挿通口周縁部７に対する接合面１４ｂを斜めに切断して接合してあるので、薄肉部接合箇所の表面が凹凸のほとんどないものになり、これによって、スーツ本体１の首挿通口周縁部７と防水カバー部８との重合間に隙間がほとんどない状態で装着することができるので、首周りにおける防水性が一層向上する。
【００５２】
〔第３実施形態〕
図１３〜図１９は、本願発明における第３実施形態の水中用スーツであるウェットスーツを示し、１は樹脂製素材からなる複数の樹脂製素材片２を、図１３に示すように面方向にスカーフ接合しその接合箇所を防水接着剤Ｂで接着したのち縫合されて形成されるスーツ本体であり、スーツ本体１は着用者Ｕの腕を挿通する腕挿通口を備えた腕部３と、着用者Ｕの足を挿通する足挿通口を備えた足部４と、着用者Ｕの首を挿通する首挿通口５を形成している本体部６と、本体部６の首挿通口周縁部７を覆う防水カバー部８と、防水カバー部８を固定するカバー固定部９とから形成されている。
【００５３】
スーツ本体１は、弾性の合成樹脂素材であるクロロプレンスポンジを主素材とした構成の異なる複数の樹脂製素材片２から形成されており、各樹脂製素材片２は、クロロプレンスポンジの外面側と内面側とに、スーツ本体１の各部分の機能に対応させるために様々な特徴を有する種々の生地１０を積層貼着して構成され、本実施形態では、伸縮性がよく形成コストの面において優れているスタンダードジャージ、保温性が高く表面が滑らかなスーパーコンポジットスキン（ＳＣＳ）、軽量で保温性及び速乾性が非常に高い中空糸パイル地、スタンダードジャージよりも伸縮性が高いフリーストレッチジャージ、スタンダードジャージやフリーストレッチジャージ等のジャージよりも伸縮性が高く表面が滑らかな撥水性のラバースキン地、及び、面ファスナーＦを使用する際に用いるループパイル地の６種の生地１０を組み合わせて構成されている。
【００５４】
そして、スーツ本体１は、クロロプレンスポンジの内外面両側にスタンダードジャージを積層貼着した３ｍｍ厚の第１素材片、クロロプレンスポンジの外面側にスタンダードジャージ、内面側にＳＣＳを積層貼着した３ｍｍ厚の第２素材片、クロロプレンスポンジの外面側にスタンダードジャージ、内面側に中空糸パイル地を積層貼着した３ｍｍ厚の第３素材片、クロロプレンスポンジの外面側にスタンダードジャージ、内面側にフリーストレッチジャージを積層貼着した３ｍｍ厚の第４素材片、クロロプレンスポンジの外面側にラバースキン地、内面側にスタンダードジャージを積層貼着した３ｍｍ厚の第５素材片、クロロプレンスポンジの外面側にラバースキン地、内面側にフリーストレッチジャージを積層貼着した３ｍｍ厚の第６素材片、クロロプレンスポンジの外面側にループパイル地、内面側にスタンダードジャージを積層貼着した３ｍｍ厚の第７素材片、クロロプレンスポンジの外面側にラバースキン地、内面側にループパイル地を積層貼着した３ｍｍ厚の第８素材片、クロロプレンスポンジの外面側にスタンダードジャージ、及び、内面側にループパイル地を積層貼着した３ｍｍ厚の第９素材片の９種類の樹脂製素材片２から形成されている。
【００５５】
腕部３は、着用者Ｕの身体に対するフィット感と運動性を得るために過剰な締め付けのない第４素材片から形成されている。
【００５６】
足部４は、運動性、スーツ着脱の容易性、及び、特にサーフィンではサーフボードに跨った状態で水中に足を入れて波待ちをすることが多いことから保温性を得るために、伸縮性及び保温性が高く内面が滑らかな第２素材片から形成されていて、第２素材片の内面を形成する生地１０あるＳＣＳは保温性が高く水に濡れることで潤滑性が向上するので、足の冷え込みを抑制するとともに、スーツを脱ぐ時、足部４から足を容易に抜くことができる。
【００５７】
本体部６は、主として、保温性及び速乾性が非常に高い中空糸パイル地を積層貼着した第３素材片と、スーツ本体１を着脱する際の身体挿入開口である本体部６の首挿通口５の周縁部７を形成する伸縮性のよい第１素材片とから形成され、首挿通口周縁部７は着用者Ｕの首周りに対して密着する形状に形成されているので、水の冷たさによる着用者Ｕの身体への負担を低減し、かつ、首周りにおける運動性を維持しながら、スーツ装着感も良好なものにしている。
【００５８】
また、首挿通口周縁部７の両肩側部分７Ａにおける縁部７ａが、首挿通口５に向かって突出した形状に形成されているので、その突出形状をした縁部７ａが、首の回動などによって特に隙間が生じ易い両肩側部分７Ａと首との間を埋める形態になって、首挿通口周縁部７からスーツ本体１内へ多量の水が浸入することを一層効果的に抑制することができる。
【００５９】
図１５及び図１７に示すように、首挿通口周縁部７の正面側部分７Ｂと背面側部分７Ｃとには、首挿通口５を着用者Ｕの身体が挿入できる大きさに拡大するための切込み１２ａ，１２ｂが首挿通口５から外方に延びる形態で形成されているとともに、図１８及び図１９に示すように、切込み１２ａ，１２ｂにより身体挿入開口である首挿通口５を大きく開口できて容易に身体を挿入することができる。
【００６０】
切込み形成部分である正面側部分７Ｂ及び背面側部分７Ｃには、それの型崩れを防止するための保形シールドＳが外面側に貼着されていて、保形シールドＳによって正面側部分７Ｂ及び背面側部分７Ｃの変形によるスーツ装着時の違和感を排除することができる。
【００６１】
防水カバー部８には、着用者Ｕの頭部を挿通する開口が形成されていて、本体部６が形成する首挿通口周縁部７に対して、着用者Ｕの頭部を開口に通して外方から被嵌できるように首挿通口周縁部７の正面側部分７Ｂから連設されていて、第４素材片と、第５素材片と、第６素材片と、第７素材片とから形成されている。
【００６２】
そして、防水カバー部８は、首挿通口周縁部７の背面側部分７Ｃに設けられている第６素材片と第８素材片と第９素材片とから形成されたカバー固定部９と面ファスナーＦで相互固定される構成で、防水カバー部８に設けられた第１フック部１３ａとカバー固定部９のループパイル地部分９ａとが係合し、カバー固定部９に設けられた第２フック部１３ｂと防水カバー部８を形成する第７素材片のループパイル地部分８ａとが係合して防水カバー部８をカバー固定部９で固定する形態になっている。
【００６３】
すなわち、首挿通口周縁部７の正面側部分７Ｂに形成されている切込み１２ａに対して首挿通口周縁部７を形成する樹脂製素材片２よりも伸縮性の高い第４素材片を主素材片として形成された防水カバー部８が高伸縮部Ｅとして被覆するとともに、防水カバー部８のスーツ内側に位置する正面側部分７Ｂを積層部ｋとして、防水カバー部８と共に相互分離状態で積層形成された積層周縁部Ｌ１を形成している。
【００６４】
そして、首挿通口周縁部７の背面側部分７Ｃに形成されている切込み１２ａに対して首挿通口周縁部７を形成する樹脂製素材片２よりも伸縮性及び撥水性の高い第６素材片を主素材片として形成されたカバー固定部９が高伸縮部Ｅとして被覆するとともに、カバー固定部９のスーツ内側に位置する背面側部分７Ｃを積層部ｋとして、カバー固定部９と共に相互分離状態で積層形成された積層周縁部Ｌ２を形成している。
【００６５】
つまり、防水カバー部８が首挿通口周縁部７の正面側部分７Ｂに形成されている切込み１２ａに対して被覆し、背面側部分７Ｃに形成されている切込み１２ｂに対して防水カバー部８とカバー固定部９とが被覆しているので、切込み１２ａ，１２ｂからスーツ本体１内への水の浸入を効果的に防止することができる。
【００６６】
そして、防水カバー部８の開口周縁部分８Ａは、伸縮性が非常に高い撥水性を有するラバースキン地を外面に積層貼着した第６素材片から形成されているので、開口周縁部分８Ａが着用者Ｕの首周りに密着することと、ラバースキン地の高い伸縮性と撥水性とにより、スーツの装着感及び首周りの運動性を低下させることなく、首周りからの水の浸入を効果的に抑制することができる。
【００６７】
従って、この構成だと、スーツ装着時は、切込み１２ａ，１２ｂが形成されている首挿通口周縁部７の背面側部分７Ｃと、防水カバー部８と、カバー固定部９とからなる３重構造となり、スーツの装着感及び首周りの運動性を低下させることなく、スーツ着脱の容易性を向上させながらも首周りにおける防水性の高いウェットスーツにすることができる。
【００６８】
〔別の実施形態〕
次に別実施形態を列記する。
【００６９】
上記各実施形態では、水中用スーツとしてウェットスーツの構成を記述したが、水中用スーツとしてはドライスーツやセミドライスーツであってもよい。
【００７０】
上記実施形態において、積層周縁部Ｌ，Ｌ１，Ｌ２が、上記第１及び第２実施形態では、積層部ｋとしての首挿通口周縁部７の両肩側部分７Ａと高伸縮部Ｅとから、第３実施形態では、積層部ｋとしての首挿通口周縁部７の正面側部分７Ｂと高伸縮部Ｅ及び背面側部分７Ｃと高伸縮部Ｅとからの２層構造に形成され、積層部ｋに切込み１２，１２ａ，１２ｂを形成していたが、積層周縁部Ｌ，Ｌ１，Ｌ２は２層に限らず、３層以上に形成されてもよく、また、積層周縁部Ｌ，Ｌ１，Ｌ２を設けず、切込み１２，１２ａ，１２ｂを形成しない構成にしてもよい。
【００７１】
更に、上記各実施形態では、防水カバー部８及びカバー固定部９を設けた構成を採用したが、防水カバー部８及びカバー固定部９が設けられていない水中用スーツであってもよい。
【００７２】
上記各実施形態は、高伸縮部Ｅとしてそれぞれ、薄肉部１１、高伸縮素材部１４、防水カバー部８及びカバー固定部９を採用した構成であるが、高伸縮部Ｅはこれらに限るものではない。
【００７３】
また、首挿通口周縁部７に設けた高伸縮部Ｅの位置や数、切込み１２，１２ａ，１２ｂの位置や数も上述の実施形態にある位置に限るものではない。
【００７４】
上記各実施形態では、首挿通口５を身体挿入開口として大きく開口するのにファスナーを設けないジップレス方式を採用したが、ファスナーを設ける構成にしてもよい。
その場合、第３実施形態と同様に、防水カバー部８又はカバー固定部９が高伸縮部Ｅとしてファスナーを被覆する構成にするのが望ましい。
【図面の簡単な説明】
【図１】本願発明の第１及び第２実施形態を示す水中用スーツの装着時における全身図
【図２】スーツ装着時においてカバー固定部を外した状態を示す背面斜視図
【図３】スーツ本体の平面図
【図４】スーツ装着時において防水カバーを外した状態を示す正面斜視図
【図５】スーツ装着時において防水カバーを外した状態を示す背面斜視図
【図６】本体部の首挿通口を示す平面図
【図７】少し開口させた首挿通口を示す平面図
【図８】大きく開口させたときの首挿通口を示す平面図
【図９】着用者の一方の肩を露出させた状態を示す正面斜視図
【図１０】着用者の両方の肩を露出させた状態を示す正面斜視図
【図１１】第１実施形態における積層周縁部の断面図
【図１２】第２実施形態における積層周縁部の断面図
【図１３】樹脂製素材片の接合部分の断面図
【図１４】本願発明の第３実施形態を示す水中用スーツの装着時における全身図
【図１５】スーツ装着時において防水カバー部を外した状態を示す正面斜視図
【図１６】スーツ装着時においてカバー固定部を外した状態を示す背面斜視図
【図１７】スーツ装着時において防水カバー部を外した状態を示す背面斜視図
【図１８】スーツ本体の平面図
【図１９】大きく開口させたときの首挿通口を示す平面図
【符号の説明】
Ｃ    樹脂製素材
Ｅ    高伸縮部
Ｌ    積層周縁部
Ｌ１    積層周縁部
Ｌ２    積層周縁部
ｋ    積層部
Ｓ    保形手段
１    スーツ本体
５    首挿通口
７    首挿通口周縁部
７Ａ    切込み形成部分
７Ｂ    切込み形成部分
７Ｃ    切込み形成部分
１１    薄肉部
１１ａ    接合面
１２    切込み
１２ａ    切込み
１２ｂ    切込み
１４    高伸縮素材部
１４ａ    接合面
【図１】
0003655621.tif 000002
【図２】
0003655621.tif 000003
【図３】
0003655621.tif 000004
【図４】
0003655621.tif 000005
【図５】
0003655621.tif 000006
【図６】
0003655621.tif 000007
【図７】
0003655621.tif 000008
【図８】
0003655621.tif 000009
【図９】
0003655621.tif 000010
【図１０】
0003655621.tif 000011
【図１１】
0003655621.tif 000012
【図１２】
0003655621.tif 000013
【図１３】
0003655621.tif 000014
【図１４】
0003655621.tif 000015
【図１５】
0003655621.tif 000016
【図１６】
0003655621.tif 000017
【図１７】
0003655621.tif 000018
【図１８】
0003655621.tif 000019
【図１９】
0003655621.tif 000020